(57)【特許請求の範囲】
【請求項１】
無線通信システムにおいて使用され、オペレーティング・モードに基づいて、制御送信を識別することを容易にする方法であって、
レガシー・モードおよび拡張モードからなるグループから選択される、適用されているオペレーティング・モードを識別することと、
前記レガシー・モードを識別すると、関連付けられたシステム帯域幅内で、アンカ・キャリアの少なくとも１つの制御領域に関連付けられたリソースにおいて、制御送信を求めてモニタすることと、
前記拡張モードが識別されると、前記関連付けられたシステム帯域幅内で、１または複数の追加キャリアの少なくとも１つの制御領域、および、前記アンカ・キャリアの少なくとも１つの制御領域に関連付けられたリソースにおいて、制御送信を求めてモニタすることと、
前記拡張モードが識別されると、前記１または複数の追加キャリアの制御領域の周波数における各ロケーションに関連する情報を受信することと
を備える方法。
【請求項２】
前記アンカ・キャリアの制御領域は、前記アンカ・キャリアの１または複数のエッジに位置する周波数リソースを備える請求項１に記載の方法。
【請求項３】
前記１または複数の追加キャリアの制御領域は、前記関連付けられたシステム帯域幅の１または複数のエッジに位置する周波数リソースを備える請求項１に記載の方法。
【請求項４】
前記情報を受信することは、前記１または複数の追加キャリアの制御情報の周波数における各ロケーションに関連する情報を備える１または複数のシステム情報ブロック（ＳＩＢ）を受信することを備える請求項１に記載の方法。
【請求項５】
前記情報を受信することは、前記１または複数の追加キャリアの制御領域の周波数における各ロケーションに関連する個別シグナリングを受信することを備える請求項１に記載の方法。
【請求項６】
前記１または複数の追加キャリアの制御領域は、周波数ホッピング・パターンを適用する請求項１に記載の方法。
【請求項７】
無線通信装置であって、
レガシー・モードおよび拡張モードからなるグループから選択される、適用されているオペレーティング・モードを識別し、
前記レガシー・モードを識別すると、関連付けられたシステム帯域幅内で、アンカ・キャリアの少なくとも１つの制御領域に関連付けられたリソースにおいて、制御送信を求めてモニタし、
前記拡張モードが識別されると、前記関連付けられたシステム帯域幅内で、１または複数の追加キャリアの少なくとも１つの制御領域、および、前記アンカ・キャリアの少なくとも１つの制御領域に関連付けられたリソースにおいて、制御送信を求めてモニタし、
前記拡張モードが識別されると、前記１または複数の追加キャリアの制御領域の周波数における各ロケーションに関連する情報を受信する
ように構成された少なくとも１つのプロセッサと、
前記少なくとも１つのプロセッサに接続されたメモリとを備える無線通信装置。
【請求項８】
オペレーティング・モードに基づいて制御送信を識別する無線通信装置であって、
レガシー・モードおよび拡張モードからなるグループから選択される、適用されているオペレーティング・モードを識別する手段と、
前記レガシー・モードを識別すると、関連付けられたシステム帯域幅内で、アンカ・キャリアの少なくとも１つの制御領域に関連付けられたリソースにおいて、制御送信を求めてモニタする手段と、
前記拡張モードが識別されると、前記関連付けられたシステム帯域幅内で、１または複数の追加キャリアの少なくとも１つの制御領域、および、前記アンカ・キャリアの少なくとも１つの制御領域に関連付けられたリソースにおいて、制御送信を求めてモニタする手段と、
前記拡張モードが識別されると、前記１または複数の追加キャリアの制御領域の周波数における各ロケーションに関連する情報を受信する手段と
を備える無線通信装置。
【請求項９】
前記１または複数の追加キャリアの制御領域は、周波数ホッピング・パターンを適用する請求項８に記載の無線通信装置。
【請求項１０】
少なくとも１つのコンピュータに対して、レガシー・モードおよび拡張モードからなるグループから選択される、適用されているオペレーティング・モードを識別させるためのコードと、
前記レガシー・モードが識別されると、前記少なくとも１つのコンピュータに対して、関連付けられたシステム帯域幅内で、アンカ・キャリアの少なくとも１つの制御領域に関連付けられたリソースにおいて、制御送信を求めてモニタさせるためのコードと、
前記拡張モードが識別されると、前記少なくとも１つのコンピュータに対して、前記関連付けられたシステム帯域幅内で、１または複数の追加キャリアの少なくとも１つの制御領域、および、前記アンカ・キャリアの少なくとも１つの制御領域に関連付けられたリソースにおいて、制御送信を求めてモニタさせるためのコードと、
前記拡張モードが識別されると、前記少なくとも１つのコンピュータに対して、前記１または複数の追加キャリアの制御領域の周波数における各ロケーションに関連する情報を受信させるためのコードと
を記憶するコンピュータ読取可能記憶媒体。
【請求項１１】
無線通信システムにおいて使用され、複数のキャリアのための制御情報を、ユーザ機器（ＵＥ）に通信することを容易にする方法であって、
レガシー・モードで動作している各ユーザ機器ユニット（ＵＥ）と、拡張モードで動作している各ＵＥとに対して検出可能な制御領域を含めるように、システム帯域幅内の予め定められた周波数範囲において、アンカ・キャリアを設定することと、
前記拡張モードで動作している各ＵＥに対して検出可能であるが、前記レガシー・モードで動作している各ＵＥに対して透過的である各制御領域を含めるように、前記システム帯域幅内のそれぞれの非オーバラップ周波数範囲において、少なくとも１つの追加キャリアを設定することと
を備える方法。
【請求項１２】
前記アンカ・キャリアを設定することは、前記アンカ・キャリアの１または複数のエッジに関連付けられた１または複数の周波数範囲を占有するように、前記アンカ・キャリアの制御領域を設定することを備える請求項１１に記載の方法。
【請求項１３】
前記少なくとも１つの追加キャリアを設定することは、前記システム帯域幅の１または複数のエッジに関連付けられた１または複数の周波数範囲を占有するように、前記少なくとも１つの追加キャリアの各制御領域を設定することを備える請求項１１に記載の方法。
【請求項１４】
前記少なくとも１つの追加キャリア内の各制御領域によって占有されている周波数範囲に関連する情報を、前記拡張モードで動作している１または複数のＵＥへ送信することをさらに備える請求項１３に記載の方法。
【請求項１５】
前記送信することは、１または複数のシステム情報ブロック（ＳＩＢ）内で前記情報を送信することを備える請求項１４に記載の方法。
【請求項１６】
前記送信することは、前記情報を個別シグナリングによって、前記拡張モードで動作している各ＵＥへ送信することを備える請求項１４に記載の方法。
【請求項１７】
前記少なくとも１つの追加キャリアを設定することは、周波数ホッピング・パターンを利用する、前記１または複数の追加キャリアの各制御領域を備える請求項１１に記載の方法。
【請求項１８】
無線通信装置であって、
レガシー・モードで動作している各ユーザ機器ユニット（ＵＥ）と、拡張モードで動作している各ＵＥとに対して検出可能な制御領域を含めるように、システム帯域幅内の予め定められた周波数範囲において、アンカ・キャリアを設定し、
前記拡張モードで動作している各ＵＥに対して検出可能であるが、前記レガシー・モードで動作している各ＵＥに対して透過的である各制御領域を含めるように、前記システム帯域幅内のそれぞれの非オーバラップ周波数範囲において、少なくとも１つの追加キャリアを設定するように構成された少なくとも１つのプロセッサと、
前記少なくとも１つのプロセッサに接続されたメモリと
を備える無線通信装置。
【請求項１９】
前記アンカ・キャリアを設定することは、前記アンカ・キャリアの１または複数のエッジに関連付けられた１または複数の周波数範囲を占有するように、前記アンカ・キャリアの制御領域を設定することを備える請求項１８に記載の無線通信装置。
【請求項２０】
制御情報を通信する無線通信装置であって、
レガシー・モードで動作している各ユーザ機器ユニット（ＵＥ）と、拡張モードで動作している各ＵＥとに対して検出可能な制御領域を含めるように、システム帯域幅内の予め定められた周波数範囲において、アンカ・キャリアを設定する手段と、
前記拡張モードで動作している各ＵＥに対して検出可能であるが、前記レガシー・モードで動作している各ＵＥに対して透過的である各制御領域を含めるように、前記システム帯域幅内のそれぞれの非オーバラップ周波数範囲において、少なくとも１つの追加キャリアを設定する手段と
を備える無線通信装置。
【請求項２１】
前記アンカ・キャリアを設定することは、前記アンカ・キャリアの１または複数のエッジに関連付けられた１または複数の周波数範囲を占有するように、前記アンカ・キャリアの制御領域を設定することを備える請求項２０に記載の無線通信装置。
【請求項２２】
前記少なくとも１つの追加キャリアを設定することは、前記システム帯域幅の１または複数のエッジに関連付けられた１または複数の周波数範囲を占有するように、前記少なくとも１つの追加キャリアの各制御領域を設定することを備える請求項２０に記載の無線通信装置。
【請求項２３】
少なくとも１つのコンピュータに対して、レガシー・モードで動作している各ユーザ機器ユニット（ＵＥ）と、拡張モードで動作している各ＵＥとに対して検出可能な制御領域を含めるように、システム帯域幅内の予め定められた周波数範囲において、アンカ・キャリアを設定させるためのコードと、
前記少なくとも１つのコンピュータに対して、前記拡張モードで動作している各ＵＥに対して検出可能であるが、前記レガシー・モードで動作している各ＵＥに対して透過的である各制御領域を含めるように、前記システム帯域幅内のそれぞれの非オーバラップ周波数範囲において、少なくとも１つの追加キャリアを設定させるためのコードと
を記憶するコンピュータ読取可能記憶媒体。
【発明の詳細な説明】
【関連出願に対する相互参照】
【０００１】
本願は、２００８年８月１２日に出願された“ＭＵＬＴＩ−ＣＡＲＲＩＥＲ  ＤＥＳＩＧＮ  ＦＯＲ  ＬＴＥ−Ａ−ＵＬ  ＧＲＡＮＴＳ”と題された米国仮出願６１／０８８，３１９号の利益を主張する。上記出願の全体は、参照によって本明細書に組み込まれる。
【技術分野】
【０００２】
以下の記載は一般に無線通信に関し、さらに詳しくは、複数のキャリアのためのアップリンク（ＵＬ）許可に関する。
【背景技術】
【０００３】
無線通信システムはさまざまなタイプの通信を提供するために広く開発され、例えば、音声および／またはデータが、そのような無線通信システムによって提供されうる。一般的な無線通信システムすなわちネットワークは、複数のユーザへ、１または複数の共有リソース（例えば、帯域幅、送信電力）に対するアクセスを提供しうる。例えば、システムは、周波数分割多重化（ＦＤＭ）、時分割多重化（ＴＤＭ）、符号分割多重化（ＣＤＭ）、直交周波数分割多重化（ＯＦＤＭ）のような様々な多元接続技術を使用することができる。
【０００４】
通常、無線多元接続通信システムは、複数のモバイル・デバイスのための通信を同時にサポートすることができる。おのおののモバイル・デバイスは、順方向リンクおよび逆方向リンクによる送信を介して、１または複数の基地局と通信することができる。順方向リンク（すなわち、ダウンリンク）は、基地局からモバイル・デバイスへの通信リンクを称し、逆方向リンク（すなわち、アップリンク）は、モバイル・デバイスから基地局への通信リンクを称する。
【０００５】
無線通信システムはしばしば、有効範囲領域を提供する１または複数の基地局を使用する。一般的な基地局は、ブロードキャスト・サービス、マルチキャスト・サービス、および／またはユニキャスト・サービスのために複数のデータ・ストリームを送信することができる。これらデータ・ストリームは、モバイル・デバイスに対して興味のある独立した受信からなるデータのストリームでありうる。そのような基地局の有効範囲領域内のモバイル・デバイスは、合成ストリームによって搬送された１つ、複数、あるいはすべてのデータ・ストリームを受信するために使用されうる。同様に、モバイル・デバイスは、基地局あるいは別のモバイルのデバイスへデータを送信しうる。
【０００６】
無線通信システム内のエリア・トラッキングによって、ユーザ機器（例えば、モバイル・デバイス、モバイル通信装置、セルラ・デバイス、スマートフォン等）のトラッキング・エリア・ロケーションを定義できるようになる。一般に、ネットワークは、ユーザ機器（ＵＥ）がそのようなトラッキング・エリア位置を用いて応答するＵＥに対して要求またはページしうる。これによって、ＵＥのトラッキング・エリア位置が、ネットワークへ通信され、さらに更新されるようになる。
【０００７】
マルチ・キャリア・システムはしばしば、良好なシステム・パフォーマンスを提供するクロス・キャリア・オペレーションを適用する。マルチ・キャリア・システムまたは環境では、ユーザ機器は、複数のキャリアを導入しうる（例えば、キャリアは、ある量のリソース、または、リソースの集合、ある量の帯域幅等を含みうる）。マルチ・キャリア・オペレーションでは、複数のキャリアに関連する情報を通信するために、アンカ・キャリアが適用されうる。さらに、制御情報が存在しないので、これらキャリアにおけるデータ送信を妨げうる。言い換えれば、マルチ・キャリア・システムは、制御を受信したどのキャリアが適用可能であるかを区別することができない。さらに、マルチ・キャリア・システムまたは環境内では、アップリンク（ＵＬ）制御割当およびダウンリンク（ＤＬ）制御割当は、各キャリアのためのユーザ機器（ＵＥ）割当モニタリングおよびオーバヘッドにおいて高価になりえる。
【発明の概要】
【０００８】
以下は、１または複数の実施形態の基本的な理解を提供するために、そのような実施形態の簡単な概略を示す。この概要は、考えられるすべての実施形態の広範囲な概観ではなく、すべての実施形態の重要要素や決定的要素を特定することも、何れかまたはすべての実施形態のスコープを線引きすることも意図されていない。その唯一の目的は、後に示されるより詳細な記載に対する前置きとして、簡略化された形式で１または複数の実施形態のいくつかの概念を表すことである。
【０００９】
関連する態様は、マルチキャリア環境内でリソースを割り当てることを容易にする方法である。この方法は、周波数における複数のキャリアと、複数のキャリアのうちの少なくとも１つのアンカ・キャリアとを識別することを含みうる。さらに、この方法は、それぞれのアンカ・キャリアと、それぞれのアンカ・キャリアに対応するキャリアのセットとの間の各関係を識別することを含みうる。さらに、この方法は、１または複数のアンカ・キャリアで、少なくとも１つの許可メッセージを受信することを備えうる。この方法はさらに、少なくとも１つの許可メッセージが受信された１または複数のアンカ・キャリアに対応するキャリアの各セットに割り当てられたリソースのセットを、少なくとも１つの許可メッセージに少なくとも部分的に基づいて決定することを含みうる。
【００１０】
別の態様は、無線通信装置に関する。この無線通信装置は、周波数における複数のキャリアと、複数のキャリアのうちの少なくとも１つのアンカ・キャリアとを識別し、それぞれのアンカ・キャリアと、それぞれのアンカ・キャリアに対応するキャリアのセットとの間の各関係を識別し、１または複数のアンカ・キャリアで、少なくとも１つの許可メッセージを受信し、少なくとも１つの許可メッセージが受信された１または複数のアンカ・キャリアに対応するキャリアの各セットに割り当てられたリソースのセットを、少なくとも１つの許可メッセージに少なくとも部分的に基づいて決定するように構成された少なくとも１つのプロセッサを含みうる。さらに、この無線通信装置は、少なくとも１つのプロセッサに接続されたメモリを含みうる。
【００１１】
また別の態様は、マルチキャリア環境内でのリソースの割当を可能にする無線通信装置に関する。この無線通信装置は、周波数における複数のキャリアと、複数のキャリアのうちの少なくとも１つのアンカ・キャリアとを識別する手段を含みうる。さらに、この無線通信装置は、それぞれのアンカ・キャリアと、それぞれのアンカ・キャリアに対応するキャリアのセットとの間の各関係を識別する手段を含みうる。さらに、この無線通信装置は、１または複数のアンカ・キャリアで、少なくとも１つの許可メッセージを受信する手段を備えうる。さらに、この無線通信装置は、少なくとも１つの許可メッセージが受信された１または複数のアンカ・キャリアに対応するキャリアの各セットにおいて割り当てられたリソースのセットを、少なくとも１つの許可メッセージに少なくとも部分的に基づいて決定する手段を備えうる。
【００１２】
また別の態様は、少なくとも１つのコンピュータに対して、周波数における複数のキャリアと、複数のキャリアのうちの少なくとも１つのアンカ・キャリアとを識別させ、それぞれのアンカ・キャリアと、それぞれのアンカ・キャリアに対応するキャリアのセットとの間の各関係を識別させ、１または複数のアンカ・キャリアで、少なくとも１つの許可メッセージを受信させ、少なくとも１つの許可メッセージが受信された１または複数のアンカ・キャリアに対応するキャリアの各セットにおいて割り当てられたリソースのセットを、少なくとも１つの許可メッセージに少なくとも部分的に基づいて決定させる、格納されたコードを有するコンピュータ読取可能媒体を備えるコンピュータ・プログラム製品に関する。
【００１３】
他の態様は、オペレーティング・モードに基づいて、制御送信を識別することを容易にする方法である。この方法は、適用されているオペレーティング・モードを識別することを備えうる。ここで、適用されるオペレーティング・モードは、レガシー・モードおよび拡張モードからなるグループから選択される。さらに、この方法は、レガシー・モードを識別すると、関連付けられたシステム帯域幅内で、アンカ・キャリアの少なくとも１つの制御領域に関連付けられたリソースにおいて、制御送信を求めてモニタすることを備える。さらに、この方法は、拡張モードを識別すると、関連付けられたシステム帯域幅内で、１または複数の追加キャリアの少なくとも１つの制御領域、および、アンカ・キャリアの少なくとも１つの制御領域に関連付けられたリソースにおいて、制御送信を求めてモニタすることを備える。
【００１４】
別の態様は、無線通信装置に関する。この無線通信装置は、レガシー・モードおよび拡張モードからなるグループから選択される適用されているオペレーティング・モードを識別し、レガシー・モードを識別すると、関連付けられたシステム帯域幅内で、アンカ・キャリアの少なくとも１つの制御領域に関連付けられたリソースにおいて、制御送信を求めてモニタし、拡張モードを識別すると、関連付けられたシステム帯域幅内で、１または複数の追加キャリアの少なくとも１つの制御領域、および、アンカ・キャリアの少なくとも１つの制御領域に関連付けられたリソースにおいて、制御送信を求めてモニタするように構成された少なくとも１つのプロセッサを含みうる。さらに、この無線通信装置は、少なくとも１つのプロセッサに接続されたメモリを含みうる。
【００１５】
他の態様は、オペレーティング・モードに基づいて制御送信を識別する無線通信装置に関する。この無線通信装置は、適用されているオペレーティング・モードを識別する手段を備えうる。ここで、適用されているオペレーティング・モードは、レガシー・モードおよび拡張モードからなるグループから選択される。さらに、この無線通信装置は、レガシー・モードを識別すると、関連付けられたシステム帯域幅内で、アンカ・キャリアの少なくとも１つの制御領域に関連付けられたリソースにおいて、制御送信を求めてモニタする手段を備える。さらに、この無線通信装置は、拡張モードが識別されると、関連付けられたシステム帯域幅内で、１または複数の追加キャリアの少なくとも１つの制御領域、および、アンカ・キャリアの少なくとも１つの制御領域に関連付けられたリソースにおいて、制御送信を求めてモニタする手段を含みうる。
【００１６】
また、別の態様は、少なくとも１つのコンピュータに対して、レガシー・モードおよび拡張モードからなるグループから選択される適用されているオペレーティング・モードを識別させ、レガシー・モードが識別されると、関連付けられたシステム帯域幅内で、アンカ・キャリアの少なくとも１つの制御領域に関連付けられたリソースにおいて、制御送信を求めてモニタさせ、拡張モードが識別されると、関連付けられたシステム帯域幅内で、１または複数の追加キャリアの少なくとも１つの制御領域、および、アンカ・キャリアの少なくとも１つの制御領域に関連付けられたリソースにおいて、制御送信を求めてモニタさせる、格納されたコードを有するコンピュータ読取可能媒体を備えるコンピュータ・プログラム製品に関する。
【００１７】
他の態様は、複数のキャリアのための制御情報を、ユーザ機器（ＵＥ）に通信することを容易にする方法に関する。この方法は、レガシー・モードで動作している各ユーザ機器ユニット（ＵＥ）と、拡張モードで動作している各ＵＥとに対して検出可能な制御領域を含めるように、システム帯域幅内の予め定められた周波数範囲において、アンカ・キャリアを設定することを備えうる。さらに、この方法は、拡張モードで動作している各ＵＥに対して検出可能であるが、レガシー・モードで動作している各ＵＥに対して透過的である各制御領域を含めるように、システム帯域幅内のそれぞれの非オーバラップ周波数範囲において、少なくとも１つの追加キャリアを設定することを備えうる。
【００１８】
別の態様は、無線通信装置に関する。この無線通信装置は、レガシー・モードで動作している各ユーザ機器ユニット（ＵＥ）と、拡張モードで動作している各ＵＥとに対して検出可能な制御領域を含めるように、システム帯域幅内の予め定められた周波数範囲において、アンカ・キャリアを設定し、拡張モードで動作している各ＵＥに対して検出可能であるが、レガシー・モードで動作している各ＵＥに対して透過的である各制御領域を含めるように、システム帯域幅内のそれぞれの非オーバラップ周波数範囲において、少なくとも１つの追加キャリアを設定するように構成された少なくとも１つのプロセッサを含みうる。さらに、この無線通信装置は、少なくとも１つのプロセッサに接続されたメモリを含みうる。
【００１９】
別の態様は、制御情報を通信する無線通信装置に関する。この無線通信装置は、レガシー・モードで動作している各ユーザ機器ユニット（ＵＥ）と、拡張モードで動作している各ＵＥとに対して検出可能な制御領域を含めるように、システム帯域幅内の予め定められた周波数範囲において、アンカ・キャリアを設定する手段を備えうる。さらに、この無線通信装置は、拡張モードで動作している各ＵＥに対して検出可能であるが、レガシー・モードで動作している各ＵＥに対して透過的である各制御領域を含めるように、システム帯域幅内のそれぞれの非オーバラップ周波数範囲において、少なくとも１つの追加キャリアを設定する手段を備えうる。
【００２０】
さらに、別の態様は、少なくとも１つのコンピュータに対して、レガシー・モードで動作している各ユーザ機器ユニット（ＵＥ）と、拡張モードで動作している各ＵＥとに対して検出可能な制御領域を含めるように、システム帯域幅内の予め定められた周波数範囲において、アンカ・キャリアを設定させ、拡張モードで動作している各ＵＥに対して検出可能であるが、レガシー・モードで動作している各ＵＥに対して透過的である各制御領域を含めるように、システム帯域幅内のそれぞれの非オーバラップ周波数範囲において、少なくとも１つの追加キャリアを設定させる、格納されたコードを有するコンピュータ読取可能媒体を備えるコンピュータ・プログラム製品に関する。
【００２１】
前述した目的および関連する目的を達成するために、１または複数の実施形態は、以下に十分説明され、特に特許請求の範囲で指摘される特徴を備える。次の記載および添付図面は、１または複数の実施形態のある実例となる態様を詳細に記載する。しかしながら、これらの態様は、さまざまな実施形態の原理が適用されるさまざまな方法のうちの僅かしか示しておらず、記載された実施形態は、そのようなすべての局面およびそれらの均等物を示すことが意図されている。
【図面の簡単な説明】
【００２２】
【図１】図１は、本明細書に記載されたさまざまな態様にしたがう無線通信システムの例示である。
【図２】図２は、無線通信環境において適用される通信装置の例示である。
【図３】図３は、複数のキャリアのためのリソース割当を容易にする無線通信システムの例示である。
【図４】図４は、複数のキャリアのためのリソース割当を指定する許可の通信および受信を容易にするシステムの例示である。
【図５】図５は、複数のキャリアのためのリソース割当許可を通信するために、アンカ・キャリアを利用することを容易にするシステムの例示である。
【図６】図６は、主題とするイノベーションにしたがう許可情報の例示である。
【図７】図７は、主題とするイノベーションにしたがう許可情報の例示である。
【図８】図８は、オペレーティング・モードに基づいて制御送信を識別することを容易にするシステムの例示である。
【図９】図９は、無線通信のための制御領域を実現することを容易にするシステムの例示である。
【図１０】図１０は、マルチキャリア環境内でリソースを割り当てることを容易にする方法の例示である。
【図１１】図１１は、オペレーティング・モードに基づいて制御送信を識別することを容易にする方法の例示である。
【図１２】図１２は、ユーザ機器（ＵＥ）に対して複数のキャリアのための制御情報を通信することを容易にする方法の例示である。
【図１３】図１３は、無線通信システムにおいて、複数のキャリアのためのリソース割当を容易にするモバイル・デバイスの例示である。
【図１４】図１４は、無線通信環境において、複数のキャリアのためのリソース割当を容易にするシステムの例示である。
【図１５】図１５は、本明細書に記載されたさまざまなシステムおよび方法と共に適用されうる無線ネットワーク環境の例示である。
【図１６】図１６は、マルチキャリア環境内におけるリソース割当を容易にするシステムの例示である。
【図１７】図１７は、無線通信環境におけるオペレーティング・モードに基づいて、制御送信を識別するシステムの例示である。
【図１８】図１８は、無線通信環境におけるユーザ機器（ＵＥ）へ、複数のキャリアのための制御情報を通信するシステムの例示である。
【発明を実施するための形態】
【００２３】
さまざまな実施形態が、全体を通じて同一要素を示すために同一の参照番号が使用される図面を参照して説明される。次の記述では、説明の目的のために、多数の特定の詳細が、１または複数の実施形態についての完全な理解を提供するために記述される。しかしながら、そのような実施形態は、これら具体的な詳細なしで実現されうることが明白でありうる。他の事例では、１または複数の実施形態の記載を容易にするために、周知の構成およびデバイスがブロック図形式で示される。
【００２４】
本明細書で使用されるように、用語「モジュール」、「キャリア」、「ソース」、「システム」等は、ハードウェア、ファームウェア、ハードウェアとソフトウェアとの組み合わせ、ソフトウェア、または、実行中のソフトウェアのうちの何れかであるコンピュータ関連エンティティを称することが意図される。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１つのコンピュータに局在化されるか、および／または、複数のコンピュータに分散されうる。さらに、これらの構成要素は、さまざまなデータ構造を格納したさまざまなコンピュータ読取可能媒体から実行可能である。これら構成要素は、（例えば、信号によってローカル・システムや分散システム内の他の構成要素とインタラクトする１つの構成要素からのデータ、および／または、他のシステムを備えた例えばインターネットのようなネットワークを経由して他の構成要素とインタラクトする１つの構成要素からのデータのような）１または複数のデータのパケットを有する信号にしたがって、ローカル処理および／またはリモート処理によって通信することができる。
【００２５】
本明細書に記述された技術は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングル・キャリア周波数分割多元接続（ＳＣ−ＦＤＭＡ）システム、およびその他のシステムのようなさまざまな無線通信システムに使用することができる。「システム」、「ネットワーク」という用語はしばしば置換可能に使用される。ＣＤＭＡシステムは、例えばユニバーサル地上ラジオ・アクセス（ＵＴＲＡ）、ＣＤＭＡ２０００等のようなラジオ技術を実現することができる。ＵＴＲＡは、広帯域ＣＤＭＡ（Ｗ−ＣＤＭＡ）およびＣＤＭＡのその他の変形を含んでいる。ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現することができる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、Ｅ−ＵＴＲＡを使用するＵＭＴＳの最新リリースであり、ダウンリンクではＯＦＤＭＡを用い、アップリンクではＳＣ−ＦＤＭＡを用いる。
【００２６】
シングル・キャリア周波数分割多元接続（ＳＣ−ＦＤＭＡ）は、シングル・キャリア変調および周波数ドメイン等値化を用いる。ＳＣ−ＦＤＭＡは、ＯＦＤＭＡシステムと類似の性能を有し、本質的に全体的に同等の複雑さを有する。ＳＣ−ＦＤＭＡ信号は、その固有のシングル・キャリア構造により、より低いピーク対平均電力比（ＰＡＰＲ）を有する。ＳＣ−ＦＤＭＡは、例えば、より低いＰＡＰＲが送信電力効率の観点からアクセス端末に非常に役立つアップリンク通信で使用されうる。したがって、ＳＣ−ＦＤＭＡは、３ＧＰＰロング・ターム・イボリューション（ＬＴＥ）すなわちイボルブドＵＴＲＡにおけるアップリンク多元接続性スキームとして実施されうる。
【００２７】
さらに、本明細書では、さまざまな実施形態が、モバイル・デバイスに関連して記載される。モバイル・デバイスはまた、システム、加入者ユニット、加入者局、モバイル局、モバイル、遠隔局、遠隔端末、アクセス端末、ユーザ端末、端末、無線通信デバイス、ユーザ・エージェント、ユーザ・デバイス、あるいはユーザ機器（ＵＥ）とも称されうる。モバイル・デバイスは、セルラ電話、コードレス電話、セッション初期化プロトコル（ＳＩＰ）電話、無線ローカル・ループ（ＷＬＬ）局、携帯情報端末（ＰＤＡ）、無線接続機能を有する携帯型デバイス、コンピュータ・デバイス、あるいは無線モデムに接続されたその他の処理デバイスでありうる。さらに、本明細書では、さまざまな実施形態が、基地局に関連して記載される。基地局はモバイル・デバイスと通信するために利用することができ、アクセス・ポイント、ノードＢあるいはその他の用語で称されうる。
【００２８】
さらに、本明細書に記載のさまざまな態様または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、または媒体からアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストリップ等）、光ディスク（例えば、コンパクト・ディスク（ＣＤ）、ＤＶＤ等）、スマート・カード、およびフラッシュ・メモリ・デバイス（例えば、ＥＰＲＯＭ、カード、スティック、キー・ドライブ等）を含みうる。さらに、本明細書に記載されたさまざまな記憶媒体は、情報を格納するための１または複数のデバイス、および／または、その他の機械読取可能媒体を表すことができる。用語「機械読取可能媒体」は、限定されることなく、無線チャネル、および、命令群および／またはデータを格納、包含、および／または搬送することができるその他任意の媒体を含みうる。
【００２９】
図１に示すように、本明細書に示されたさまざまな実施形態にしたがう無線通信システム１００が例示されている。システム１００は、複数のアンテナ・グループを含むことができる基地局１０２を含む。例えば、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。おのおののアンテナ・グループについて２本のアンテナしか例示されていないが、２本より多いアンテナ、または２本より少ないアンテナも、各グループのために利用されうる。基地局１０２はさらに、送信機チェーンおよび受信機チェーンを含みうる。それらおのおのは、当業者によって理解されるように、信号の送信および受信に関連する複数の構成要素（例えば、プロセッサ、変調器、マルチプレクサ、復調器、デマルチプレクサ、アンテナ等）を備えうる。
【００３０】
基地局１０２は、例えばモバイル・デバイス１１６およびモバイル・デバイス１２２のような１または複数のモバイル・デバイスと通信しうる。しかしながら、基地局１０２は、モバイル・デバイス１１６およびモバイル・デバイス１２２に類似した実質的に任意の数のモバイル・デバイスと通信しうることが理解されるべきである。モバイル・デバイス１１６、１２２は例えば、セルラ電話、スマートフォン、ラップトップ、ハンドヘルド通信デバイス、ハンドヘルド・コンピュータ・デバイス、衛星ラジオ、全地球測位システム、ＰＤＡ、および／または、無線通信システム１００を介して通信するのに適切なその他任意のデバイスでありうる。図示するように、モバイル・デバイス１１６は、アンテナ１１２およびアンテナ１１４と通信している。ここで、アンテナ１１２およびアンテナ１１４は、順方向リンク１１８によってアクセス端末１１６へ情報を送信し、逆方向リンク１２０によってアクセス端末１１６から情報を受信する。さらに、モバイル・デバイス１２２はアンテナ１０４およびアンテナ１０６と通信している。ここで、アンテナ１０４およびアンテナ１０６は、順方向リンク１２４でアクセス端末１２２へ情報を送信し、逆方向リンク１２６でアクセス端末１２２から情報を受信する。周波数分割デュプレクス（ＦＤＤ）システムでは、例えば、順方向リンク１１８は、逆方向リンク１２０によって使用されるものとは異なる周波数帯域を使用し、順方向リンク１２４は、逆方向リンク１２６によって使用されるものとは異なる周波数帯域を使用することができる。さらに、時分割デュプレクス（ＴＤＤ）システムでは、順方向リンク１１８および逆方向リンク１２０は、共通の周波数帯域を使用し、順方向リンク１２４および逆方向リンク１２６は、共通の周波数帯域を使用することができる。
【００３１】
通信するように指定された領域および／またはアンテナのおのおののグループは、基地局１０２のセクタと称されうる。例えば、基地局１０２によってカバーされる領域のセクタ内のアクセス端末に通信するように、複数のアンテナが設計されうる。順方向リンク１１８および順方向リンク１２４による通信では、基地局１０２の送信アンテナは、アクセス端末１１６およびアクセス端末１２２のための順方向リンク１１８および順方向リンク１２４の信号対雑音比を改善するためにビームフォーミングを適用することができる。また、基地局１０２が、関連付けられた有効通信範囲にランダムに散在したモバイル・デバイス１１６、１２２に送信するためにビームフォーミングを利用している間、近隣セル内のモバイル・デバイスは、すべてのモバイル・デバイスに対して単一のアンテナによって送信している基地局に比べて、少ない干渉しか被らない。
【００３２】
基地局１０２（および／または基地局１０２のおのおののセクタ）は、１または複数の多元接続技術（例えば、ＣＤＭＡ、ＴＤＭＡ、ＦＤＭＡ、ＯＦＤＭＡ）を使用しうる。例えば、基地局１０２は、対応する帯域幅においてモバイル・デバイス（例えば、モバイル・デバイス１１６、１２２）と通信するために特定の技術を利用しうる。さらに、基地局１０２によって、１より多くの技術が適用される場合、おのおのの技術は、それぞれの帯域幅に関連付けられうる。本明細書に記載された技術は下記を含みうる。グローバル・システム・フォー・モバイル（ＧＳＭ（登録商標））、汎用パケット・ラジオ・サービス（ＧＰＲＳ）、エンハンスト・データ・レート・フォーＧＳＭイボリューション（ＥＤＧＥ）、ユニバーサル・モバイル・テレコミュニケーション・システム（ＵＭＴＳ）、広帯域符号分割多元接続（Ｗ−ＣＤＭＡ）、ｃｄｍａＯｎｅ（ＩＳ−９５）、ＣＤＭＡ２０００、イボリューション−データ・オプティマイズド（ＥＶ−ＤＯ）、ウルトラ・モバイル・ブロードバンド（ＵＭＢ）、ワールドワイド・インタオペラビリティ・フォー・マイクロウェーブ・アクセス（ＷｉＭＡＸ）、ＭｅｄｉａＦＬＯ、デジタル・マルチメディア・ブロードキャスティング（ＤＭＢ）、デジタル・ビデオ・ブロードキャスティング−ハンドヘルド（ＤＶＢ−Ｈ）等。前述した技術のリストは、例として与えられたものであって、権利主張される主題はそれに限定されないことが認識されるべきである。実質的に任意の無線通信技術が、特許請求の範囲内にあることが意図されること
基地局１０２は、第１の技術を用いて第１の帯域幅を利用しうる。さらに、基地局１０２は、第１の技術に対応するパイロットを、第２の帯域幅で送信しうる。例示によれば、第２の帯域幅は、基地局１０２、および／または、通信のために任意の第２の技術を利用する別の基地局（図示せず）によって導入されうる。さらに、パイロットは、第１の技術の存在を（例えば、第２の技術によって通信しているモバイル・デバイスへ）示しうる。例えば、パイロットは、第１の技術の存在に関する情報を伝送するビットを使用しうる。さらに、例えば、第１の技術を利用するセクタのセクタＩＤ、第１の周波数帯域幅を示すキャリア・インデクス等のような情報がパイロットに含まれうる。
【００３３】
別の例によれば、パイロットは、ビーコン（および／またはビーコンのシーケンス）でありうる。ビーコンは、ＯＦＤＭシンボルでありうる。ここでは、電力の大部分が、１つのサブキャリアまたは少数のサブキャリア（例えば、少ない数のサブキャリア）で送信される。したがって、ビーコンは、モバイル・デバイスによって観察されうる強いピークをもたらすが、同時に、帯域幅の狭い部分において、データと干渉する（例えば、帯域幅の残りの部分は、ビーコンによって影響されない）。この例によれば、第１のセクタは、第１の帯域幅で、ＣＤＭＡによって通信し、第２のセクタは、第２の帯域幅で、ＯＦＤＭによって通信しうる。したがって、第１のセクタは、第２の帯域幅においてＯＦＤＭビーコン（またはＯＦＤＭビーコンのシーケンス）を（例えば、第２の帯域幅においてＯＦＤＭを利用して動作しているモバイル・デバイスへ）送信することによって、第１の帯域幅におけるＣＤＭＡの利用可能性を示しうる。
【００３４】
主題とするイノベーションは、アンカ・キャリアから受信した許可メッセージに基づいて、複数のキャリアに関連付けられたリソース割当を提供しうる。言い換えれば、アンカ・キャリアは、許可メッセージを通信しうる。ここで、許可メッセージは、（例えば、アンカ・キャリア、追加キャリア等のような）複数のキャリアのためのリソース割当を含みうる。例において、許可メッセージは、キャリアに特有であることができ、許可メッセージは、各キャリアについて独立して符号化される。別の例において、許可メッセージは、共通して符号化されることができ、指定されたキャリアについて、リソース情報が共通している。
【００３５】
さらに、主題とするイノベーションは、ユーザ機器（ＵＥ）のための制御情報の効率的な識別を可能にしうる。例えば、オペレーティング・モードが、レガシー・モードであるか、拡張モードであるかが識別されうる。識別されたオペレーティング・モードに基づいて、制御情報は、アンカ・キャリア帯域幅内の特定の制御領域においてモニタされうる。言い換えれば、ユーザ機器（ＵＥ）のための制御情報は、レガシー・モードであるか拡張モードであるかに基づいて、特定の制御領域内で識別されうる。
【００３６】
図２に移って、無線通信環境内で適用される通信装置２００が例示される。通信装置２００は、基地局またはその一部であるか、モバイル・デバイスまたはその一部であるか、無線通信環境で送信されたデータを受信する実質的に任意の通信装置でありうる。通信システムでは、通信装置２００は、制御情報の識別と、複数のキャリアのためのリソース割当とを容易にするために、以下に説明する構成要素を適用する。
【００３７】
通信装置２００は、許可処理モジュール２０２、および／または、リソース設定モジュール２０４を含みうる。許可処理モジュール２０２は、複数のキャリアのためのリソース割当を含む許可メッセージを、アンカ・キャリアから受信しうる。リソース設定モジュール２０４は、受信した許可メッセージに少なくとも部分的に基づいて、複数のキャリアのためのリソースの環境および設定を管理しうる。
【００３８】
さらに、通信装置２００は、オペレーティング・モードの適用および識別を可能にしうる。ここでは、特定のオペレーティング・モードに基づいて、さまざまな領域で制御情報がモニタされうる。例えば、第１のオペレーティング・モードが識別された場合、アンカ・キャリアのための制御領域に関連付けられたリソースで制御送信がモニタされうる。さらに、第２のオペレーティング・モードが識別された場合、アンカ・キャリアのための制御領域、および追加キャリアのための制御領域に関連付けられたリソースで制御送信がモニタされうる。
【００３９】
さらに、図示していないが、通信装置２００は、周波数における複数のキャリアと、複数のキャリアのうちの少なくとも１つのアンカ・キャリアとを識別すること、それぞれのアンカ・キャリアと、それぞれのアンカ・キャリアに対応するキャリアのセットとの間の各関係を識別すること、１または複数のアンカ・キャリアで、少なくとも１つの許可メッセージを受信すること、少なくとも１つの許可メッセージが受信された１または複数のアンカ・キャリアに対応するキャリアの各セットにおいて割り当てられたリソースのセットを、少なくとも１つの許可メッセージに少なくとも部分的に基づいて決定すること等に関連する命令群を保持するメモリを含みうることが認識されるべきである。さらに、通信装置２００は、（例えば、メモリ内に保持された命令群、別のソースから取得された命令群のような）命令群を実行することに関連して利用されるプロセッサを含みうる。
【００４０】
さらに、図示していないが、通信装置２００は、レガシー・モードおよび拡張モードからなるグループから選択される適用されているオペレーティング・モードを識別すること、レガシー・モードが識別されると、関連付けられたシステム帯域幅内で、アンカ・キャリアの少なくとも１つの制御領域に関連付けられたリソースにおいて、制御送信を求めてモニタすること、拡張モードが識別されると、関連付けられたシステム帯域幅内で、１または複数の追加キャリアの少なくとも１つの制御領域、および、アンカ・キャリアの少なくとも１つの制御領域に関連付けられたリソースにおいて、制御送信を求めてモニタすること等、に関連する命令群を保持するメモリを含みうることが認識されるべきである。さらに、通信装置２００は、（例えば、メモリ内に保持された命令群、別のソースから取得された命令群のような）命令群を実行することに関連して利用されるプロセッサを含みうる。
【００４１】
図３に示すように、複数のキャリアのためにリソースの割当を提供する無線通信システム３００が例示される。このシステム３００は、ユーザ機器３０４（および／または、（図示しない）任意の数の他のユーザ機器）と通信する基地局３０２を含む。基地局３０２は、順方向リンク・チャネルでユーザ機器３０４に情報を送信しうる。さらに、基地局３０２は、逆方向リンク・チャネルでユーザ機器３０４から情報を受信しうる。さらに、システム３００は、ＭＩＭＯシステムでありうる。さらに、システム３００は、ＯＦＤＭＡ無線ネットワーク、３ＧＰＰ  ＬＴＥ無線ネットワーク等において動作しうる。さらに、基地局３０２内において図示および以下に説明される構成要素および機能は、一例において、逆に、ユーザ機器３０４内にも存在することができるが、図示する構成は、説明を簡単にするために、これら構成要素を除外している。
【００４２】
基地局３０２は、リソース許可モジュール３０６を含んでいる。リソース許可モジュール３０６は、少なくとも１つのアンカ・キャリア、および／または、少なくとも１つの追加キャリアのためのリソース割当を示す許可メッセージを生成しうる。基地局３０２はさらに、キャリア構成モジュール３０８を含みうる。キャリア構成モジュール３０８は、リソース割当を示す許可メッセージを生成するために、少なくとも１つのアンカ・キャリア、および／または、少なくとも１つの追加キャリアからのリソース情報をアグリゲートしうる。
【００４３】
ユーザ機器３０４は、少なくとも１つのアンカ・キャリア、および／または、少なくとも１つの追加キャリアのためのリソース割当を識別するために、受信した許可メッセージを評価する許可処理モジュール３１０を含みうる。ユーザ機器３０４はさらに、少なくとも１つのアンカ・キャリア、および／または、少なくとも１つの追加キャリアのために示されたリソース割当および許可メッセージに少なくとも部分的に基づいて、ユーザ機器３０４を設定するリソース設定モジュール３１２を含みうる。
【００４４】
レガシー制御領域は、アップリンク（ＵＬ）制御の観点から、アンカ・キャリア上に保持されうる。例えば、レガシー制御領域は、レガシー・セグメントのエッジにあり、Ｒｅｌ−９／１０  ＵＥおよびレガシーＵＥの制御のために使用されうる。それに加えて、新たな制御領域が、導入されうる。この新たな制御領域は、Ｒｅｌ−９／１０  ＵＥの制御のために使用されうる。正確な周波数ロケーションが、追加ＳＩＢで定義されうる。例えば、このロケーションは、レガシー・データ部分内のアンカ・キャリアにあるか、および／または、新たな非レガシー・キャリアにありうる。これは、帯域を保護するための周波数調整、および、周波数ダイバースＲＢならびにホッピングに基づくダイバーシティと保護とを可能にしうる。
【００４５】
レガシーＵＥは、アップリンク（ＵＬ）許可の観点から、アンカ・キャリアでＵＬ許可を受信し、アンカ・キャリアとペアのＵＬキャリアでリソースを割り当てる。Ｒｅｌ−９／１０  ＵＥでは、アンカ・キャリアにおけるＵＬ許可は、アンカ・キャリアとして定義されるためにＵＬキャリアでＵＬリソースを割当てうる。例えば、ＵＬキャリアは、アンカ・キャリアとして定義されるためにＤＬキャリアとペアにされる。複数のＵＬキャリアにわたるＵＬ割当は、共通のまたは独立したデータ符号化を仮定しうる。これは、許可メッセージでＵＥへ伝送されうる。共通符号化は、ＯＦＤＭＡベースのＵＬ、または、ＳＣ−ＦＤＭを用いたマルチＰＡ  ＵＥベースのＵＬに対して可能でありうる。これは、新たな許可フォーマットと考えられうる。
【００４６】
さらに、アンカ・キャリアではないＤＬキャリアにおけるＵＬ許可は、レガシーＵＥのためのみならず、ペアとされたＵＬキャリアのためにもリソースを割り当てうることが認識されるべきである。それに加えて、割当全体を伝送するために、許可が、複数のキャリアにわたって結合されうる。
【００４７】
マルチキャリアＤＬ  ＤＣＩフォーマットの観点において、マルチ・キャリア・システムにおけるＤＬ許可オーバヘッドは、おのおののキャリアのＨＡＲＱ情報およびＭＣＳ情報がどのようにしてＵＥへ伝送されるのかに依存して異なりうる。単一のマルチキャリア許可は、おのおののキャリアの個別のＭＣＳのために追加ビット（例えば、キャリア毎に５ビット）を有しうる。おのおののキャリアで個別に送信される複数のＲｅｌ−８ベースの許可は、ＭＣＳ、フラグ、ＨＡＲＱ処理ＩＤ、およびキャリア毎のＣＲＣのために追加ビット（例えば、キャリア毎に２５ビット）を有しうる。このように、ＭＣ許可フォーマットは、望ましい。例えばＣＲＣ，ＨＡＲＱ処理ＩＤ、およびフラグのような共通フィールドは、キャリア毎に別々の許可を持って発生するので、反復を免れる。
【００４８】
ＨＡＲＱオペレーションの観点から、キャリアＲｅｌ−８許可毎に個別に使用されるのであれば、キャリア毎に、個別のＨＡＲＱ処理が定義されうる。もしもマルチキャリア許可が使用されている場合、すべてのキャリアにわたって、共通のＨＡＲＱ処理が使用されうる。これは、ＭＩＭＯマルチ・コード・ワードの拡張であり、ＭＩＭＯケースおよびＳＩＳＯケースに適用可能でありうる。ＨＡＲＱ処理ＩＤ情報とともに（例えば、ＭＩＭＯケースではキャリア毎のコードワード毎のＮＤＩ、ＳＩＭＯケースではキャリア毎のＮＤＩ等のような）新たなデータ・インジケータ（ＮＤＩ）が使用されうる。このスキームは、（ＭＩＭＯの場合）コード・ワード・ブランキング有りまたは無しで、あるＴＴＩにおけるいくつかまたはすべてのキャリアにおいてデータを割り当てることに関して十分な柔軟性を提供しうる。
【００４９】
これは、キャリア毎の個別のＨＡＲＱ  ＩＤに関するオーバヘッドを低減しうる（例えば、３ビットに対してＮ×３。ここで、Ｎは、キャリアの数）。これは、異なるＨＡＲＱ処理に対応するある再送信を同時にスケジュールすることに関して、おのおののキャリアが個別のＨＡＲＱ  ＩＤを持つアプローチと比較して、柔軟性が低いオペレーションでありうる。例えば、第１のキャリアについてのＨＡＲＱ処理ＩＤ  １について、および、第２のキャリアについてのＨＡＲＱ処理ＩＤ  ０および１について、ペンディング中の再送信がある場合、第１のキャリアについてのＨＡＲＱ処理ＩＤ  １に関する再送信と、第２のキャリアについてのＨＡＲＱ処理ＩＤ  ０に関する再送信とを、個別のＨＡＲＱ処理ＩＤを用いて、ともにスケジュールすることが可能でありうる。また、第１のキャリアについてのＨＡＲＱ処理ＩＤ  ０に関する新たな再送信と、第２のキャリアについてのＨＡＲＱ処理ＩＤ  ０に関する再送信とを、共通のＨＡＲＱ処理ＩＤを用いて、ともにスケジュールすることも可能でありうる。第１のキャリアについてのＨＡＲＱ処理ＩＤ  １に関する再送信は、遅れるかもしれない。この制約は、すべてのＵＥの再送信に優先度が与えられる処理をスケジュールする際のようなコーナ・ケースに大部分当てはまる。よって、ＵＥが、異なるＨＡＲＱ処理ＩＤに対応するいくつかのペンディング中の再送信を有するであろうことは起こりそうも無い。
【００５０】
ＬＴＥ−アドバンストは、Ｒｅｌ−８をサポートする必要がある一方、導入された新たな機能に適応させることによって、ＬＴＥ−アドバンスト機能を改良するであろう新たな態様を導入することは、有益であろう。この主題となるイノベーションは、マルチキャリアＤＬ割当およびマルチキャリアＵＬ割当を導入する利点を取り扱う。マルチキャリア割当は、シングル・キャリアＲｅｌ−８割当と比較してオーバヘッドを低減し、おそらくは、ＵＥ割当モニタリングを１つのキャリアに低減するので、マルチキャリア設定により適している。ＤＬおよびＵＬのための可能なマルチキャリアＤＣＩフォーマットも提供される。
【００５１】
１つのＤＬキャリアで送信されるＲｅｌ−８割当は、同じＤＬキャリア／対応するＵＬキャリアにおけるターゲットＵＥにＤＬ／ＵＬリソースを割り当てる。Ｒｅｌ−８割当に加えて、マルチキャリア設定のためにより適切であり、シングル・キャリアＲｅｌ−８割当に比べてオーバヘッドを低減するであろうＬＴＥ−アドバンストのためにマルチキャリア割当を導入することは有益であろう。
【００５２】
マルチキャリア許可は、複数のキャリアにリソースを割り当てるだろう。例えばＣＲＣ、ＨＡＲＱ処理ＩＤ，およびフラグのように、キャリアにわたる共通のフィールドは、マルチキャリア割当のために使用される複数のＲｅｌ−８許可の場合のように繰り返されないので、オーバヘッドはより少なくなる。
【００５３】
マルチキャリア割当は、どのようなＤＬキャリアにも存在し、どのようなＤＬ／ＵＬキャリア（単数または複数）にもリソースを割り当てうる。もしも我々が［１］に記載されるようにアンカ・キャリアを設定するのであれば、それらアンカ・キャリアは、信頼性の高い制御有効通信範囲を提供し、デフォルトでマルチキャリア割当が現れるべきである。アンカ・キャリアで送信されたマルチキャリア割当は、制御が高い信頼性で伝送されないキャリアにおいて、信頼性の高いデータ・スケジュールを提供するだろう。ＲＲＣシグナリングは、可能なマルチキャリア割当を求めてモニタする追加のＤＬキャリア（単数または複数）が存在するかをＵＥに通知するだろう。
【００５４】
１つのＤＬキャリアで送信されるＲｅｌ−８  ＵＬ許可は、そのＤＬキャリアとペアとされたＵＬにおけるターゲットＵＥにＵＬリソースを割り当てる。ＤＬ割当の場合と同様に、ＵＥ割当モニタリングおよびオーバヘッドの観点から、複数のキャリアにＵＬリソースを割り当てるＵＬマルチキャリア許可を定義することが有益であろう。マルチキャリアＵＬ割当のために、新たなＤＣＩフォーマットが必要とされる。ＵＬ−ＳＣＨ割当のためのマルチキャリアＤＣＩフォーマットが、表１に与えられており、Ｒｅｌ−８フォーマット０に基づいている。
【表１】
0005714614.tif 000002
【００５５】
主題とするイノベーションは、マルチキャリアＤＬ割当およびマルチキャリアＵＬ割当を導入する利点を取り扱う。マルチキャリア割当は、シングル・キャリアＲｅｌ−８割当と比べてオーバヘッドを低減し、恐らくは、ＵＥ割当モニタリングを１つの（アンカ）キャリアに減らすであろうから、マルチキャリア設定により適している。また、マルチキャリア割当は、制御の信頼性が高くないキャリアにおいてデータをスケジュールするために使用されるので、有益である。
【００５６】
さらに、図示されていないが、基地局３０２は、周波数における複数のキャリアと、複数のキャリアのうちの少なくとも１つのアンカ・キャリアとを識別すること、それぞれのアンカ・キャリアと、それぞれのアンカ・キャリアに対応するキャリアのセットとの間の各関係を識別すること、１または複数のアンカ・キャリアで、少なくとも１つの許可メッセージを受信すること、少なくとも１つの許可メッセージが受信された１または複数のアンカ・キャリアに対応するキャリアの各セットにおいて割り当てられたリソースのセットを、少なくとも１つの許可メッセージに少なくとも部分的に基づいて決定すること等、に関連する命令群を保持するメモリを含みうることが認識されるべきである。さらに、通信装置２００は、（例えば、メモリ内に保持された命令群、別のソースから取得された命令群のような）命令群を実行することに関連して利用されるプロセッサを含みうる。
【００５７】
さらに、図示されていないが、基地局３０２は、レガシー・モードおよび拡張モードからなるグループから選択される適用されているオペレーティング・モードを識別すること、レガシー・モードが識別されると、関連付けられたシステム帯域幅内で、アンカ・キャリアの少なくとも１つの制御領域に関連付けられたリソースにおいて、制御送信を求めてモニタすること、拡張モードが識別されると、関連付けられたシステム帯域幅内で、１または複数の追加キャリアの少なくとも１つの制御領域、および、アンカ・キャリアの少なくとも１つの制御領域に関連付けられたリソースにおいて、制御送信を求めてモニタすること等、に関連する命令群を保持するメモリを含みうることが認識されるべきである。さらに、通信装置２００は、（例えば、メモリ内に保持された命令群、別のソースから取得された命令群のような）命令群を実行することに関連して利用されるプロセッサを含みうる。
【００５８】
図示されていないが、基地局３０２は、レガシー・モードで動作している各ユーザ機器ユニット（ＵＥ）と、拡張モードで動作している各ＵＥとに対して検出可能な制御領域を含めるように、システム帯域幅内の予め定められた周波数範囲において、アンカ・キャリアを設定すること、拡張モードで動作している各ＵＥに対して検出可能であるが、レガシー・モードで動作している各ＵＥに対して透過的である各制御領域を含めるように、システム帯域幅内のそれぞれの非オーバラップ周波数範囲において、少なくとも１つの追加キャリアを設定すること等、に関連する命令群を保持するメモリを含みうることが認識されるべきである。さらに、通信装置２００は、（例えば、メモリ内に保持された命令群、別のソースから取得された命令群のような）命令群を実行することに関連して利用されるプロセッサを含みうる。
【００５９】
図４に示すように、無線通信システム４００の例は、複数のキャリアのためのリソース割当を指定する許可を通信および受信しうる。このシステム４００は、例えばｅＮＢ  １  ４２０ａ乃至ｅＮＢ  Ｋ  ４２０ｋのような任意の適切な数のｅＮＢと通信しうるシステム・コントローラ４１０を含みうる。ここで、ｋは、正の整数である。ｅＮＢは、例えばＵＥ  １  ４３０ａ乃至ＵＥ  Ｎ  ４３０ｎのような任意の適切な数のユーザ機器（ＵＥ）と通信しうる。ここで、ｎは、正の整数である。
【００６０】
システム・コントローラ４１０は、キャリア・リソース情報および／またはキャリア・リソース割当情報を示す許可メッセージを作成し通信しうるリソース許可モジュール４１２を含みうる。例えば、許可メッセージは、複数のキャリアのためのリソース割当を含みうる。ここで、許可メッセージは、アンカ・キャリアによって通信されうる。システム・コントローラ４１０はさらに、無線通信環境内のさまざまなキャリアに関連するリソース情報のアグリゲートおよび／または収集を行うキャリア構成モジュール４１４を含みうる。
【００６１】
ｅＮＢ（単数または複数）は、許可処理モジュール４２２および／またはリソース設定モジュール４２４を含みうる。許可処理モジュール４２２および／またはリソース設定モジュール４２４は、任意の適切なｅＮＢ（例えば、ｅＮＢ  ４２０ａ）および／または任意の適切なＵＥ（例えば、ＵＥ  ４３０ａ）内に含まれうることが認識されるべきである。許可処理モジュール４２２は、アンカ・キャリアを介して許可メッセージを受信し、複数のキャリア（例えば、アンカ・キャリアおよび追加キャリア）のためのリソースを決定または確認しうる。さらに、リソース設定モジュール４２４は、受信された許可メッセージに少なくとも部分的に基づいて、おのおののキャリアのためのリソースの設定および／または管理を行いうる。
【００６２】
図５は、複数のキャリアのためのリソース割当許可を通信するためにアンカ・キャリアを利用することを容易にするように例示されたシステム５００の例である。このシステム５００は、リソース許可モジュール４１２および許可処理モジュール４２２を含みうる。リソース許可モジュール４１２は、少なくとも１つのアンカ・キャリア５１０および少なくとも１つの追加キャリア５２０のためのリソース割当を含む許可メッセージを生成し通信しうることが認識されるべきである。
【００６３】
図６および図７に手短に移って、主題とするイノベーションにしたがう許可情報の例が図示されている。図６は、共通許可情報６００（例えば、ＨＡＲＱ処理ＩＤ、ＴＰＣ、ＣＲＣ等）を例示する。ここで、共通許可情報６００は、キャリア毎の許可情報を含みうる。例えば、キャリア毎の許可情報は、限定される訳ではないが、リソース割当情報、ＭＣＳ、ＮＤＩ等でありうる。図７は、スケジュールされていないキャリアおよびスケジュールされたキャリアのためにキャリア毎の許可情報を提供する共通許可情報７００を例示する。この共通許可情報７００は、ＨＡＲＱ処理ＩＤ、ＴＰＣ、ＣＲＣ等でありうる。さらに、キャリア毎の許可情報は、限定される訳ではないが、リソース割当情報、ＭＣＳ、ＮＤＩ等でありうる。
【００６４】
図８は、オペレーティング・モードに基づいて制御送信を識別することを容易にするシステム８００の例を図示する。このシステム８００は、ＵＥ（レガシー）８２０および／またはＵＥ（拡張）８３０と通信しうるｅＮＢ  ８１０を含むことができる。システム８００によって、ＵＥは、識別されたオペレーティング・モードに基づいて、制御情報を求めてモニタできるようになる。実線両方向矢印は、アンカ・キャリアを用いた通信を示し、点線両方向矢印は、追加キャリアを用いた通信を示すことが認識されるべきである。ｅＮＢ  ８１０は、リソース設定モジュール８１２、および／または、制御ソース８１４を含みうる。制御ソース８１４は、制御情報を提供しうる。設定モジュール８１２は、オペレーティング・モード（例えば、レガシー、拡張等）に基づいて、さまざまなＵＥへ制御情報を提供するために、帯域幅内の予め定めた周波数範囲で、アンカ・キャリア、および／または、追加キャリアを設定しうる。
【００６５】
ＵＥ（レガシー）８２０は、リソース・モニタリング・モジュール（アンカ・キャリア）８２２を含みうる。これによって、このＵＥは、レガシー・モードであるオペレーティング・モードに基づいて、関連付けられたシステム帯域幅内のアンカ・キャリアの少なくとも１つの制御領域に関連付けられたリソースにおいて制御送信をモニタできるようになる。ＵＥ（拡張）８３０は、リソース・モニタリング・モジュール（アンカ・キャリア）８２２、およびリソース・モニタリング・モジュール（追加キャリア）８３２を含みうる。ＵＥ（拡張）８３０内のリソース・モニタリング・モジュール（アンカ・キャリア）８２２は、拡張モードであるオペレーティング・モードに基づいて、関連付けられたシステム帯域幅内のアンカ・キャリアの少なくとも１つの制御領域に関連付けられたリソースにおいて制御送信をモニタしうる。ＵＥ（拡張）８３０内のリソース・モニタリング・モジュール（追加キャリア）８３２は、拡張モードであるオペレーティング・モードに基づいて、関連付けられたシステム帯域幅内の追加キャリアの少なくとも１つの制御領域に関連付けられたリソースにおいて制御送信をモニタしうる。さらに、制御情報を求めてどの制御領域をモニタするかを決定するために、ＵＥは、それぞれのオペレーティング・モードを判定しうることが認識されるべきである。
【００６６】
図９は、無線通信のための制御領域を実現することを容易にするシステム９００の例を示す。このシステム９００は、単なる構成例であり、主題とするイノベーションを限定するものではないことが認識されるべきである。システム９００は、制御情報を示すシステム帯域幅９０２のサンプルを含みうる。この帯域幅９０２は、Ｂ（帯域幅全体）、Ｂ１（第１のエッジ）、Ｂ０（第１のエッジと第２のエッジの間の部分）、およびＢ２（第２エッジ）を含んでいる。帯域幅９０２は、レガシー・セグメント、レガシー制御領域、拡張セグメント、および拡張制御領域のための帯域幅部分を例示している。
【００６７】
システム９００はさらに、周波数ホッピングを利用する制御情報を示す帯域幅９０４を含みうる。帯域幅９０４は、Ｂ（帯域幅全体）、Ｂ１（第１のエッジ）、Ｂ０（第１のエッジと第２のエッジの間の部分）、およびＢ２（第２エッジ）を含んでいる。帯域幅９０４は、レガシー・セグメント、レガシー制御領域、拡張セグメント、および拡張制御領域のための帯域幅部分を図示する。
【００６８】
図１０乃至図１２を参照して、オーバヘッドおよび電力消費量を低減しながら、アップリンク・タイミング制御を提供することに関連する方法が図示される。説明を単純にする目的で、これら方法は、一連の動作として示され説明されているが、これら方法は、１または複数の実施形態にしたがって、幾つかの動作が本明細書で示され記載されたものとは異なる順序で、あるいは他の動作と同時に生じうるので、動作の順序によって限定されないことが理解され認識されるべきである。例えば、当業者であれば、これら方法はその代わりに、例えば状態図におけるように、一連の相互関連する状態またはイベントとして表されうることを理解し認識するだろう。さらに、１または複数の実施形態にしたがって方法を実現するために、必ずしも例示されたすべての動作が必要とされる訳ではない。
【００６９】
図１０に移って、マルチキャリア環境内でのリソース割当を容易にする方法１０００が例示される。参照番号１００２では、周波数における複数のキャリアと、複数のキャリアのうちの少なくとも１つのアンカ・キャリアとが識別されうる。参照番号１００４では、それぞれのアンカ・キャリアと、それぞれのアンカ・キャリアに対応するキャリアのセットとの間の各関係が識別されうる。参照番号１００６では、１または複数のアンカ・キャリアで、少なくとも１つの許可メッセージが受信されうる。参照番号１００８では、少なくとも１つの許可メッセージが受信された１または複数のアンカ・キャリアに対応するキャリアの各セットにおいて割り当てられたリソースのセットが、少なくとも１つの許可メッセージに少なくとも部分的に基づいて決定されうる。
【００７０】
図１１に示すように、オペレーティング・モードに基づいて制御送信を識別することを容易にする方法１１００が図示されている。参照番号１１０２では、適用されているオペレーティング・モードが識別される。ここで、適用されているオペレーティング・モードは、レガシー・モードおよび拡張モードからなるグループから選択される。参照番号１１０４では、レガシー・モードが識別されると、関連付けられたシステム帯域幅内で、アンカ・キャリアの少なくとも１つの制御領域に関連付けられたリソースにおいて、制御送信がモニタされうる。参照番号１１０６では、拡張モードが識別されると、関連付けられたシステム帯域幅内で、１または複数の追加キャリアの少なくとも１つの制御領域、および、アンカ・キャリアの少なくとも１つの制御領域に関連付けられたリソースにおいて、制御送信がモニタされうる。
【００７１】
図１２を参照して、複数のキャリアのための制御情報をユーザ機器（ＵＥ）へ通信することを容易にする方法１２００が例示される。参照番号１２０２では、レガシー・モードで動作している各ユーザ機器ユニット（ＵＥ）と、拡張モードで動作している各ＵＥとに対して検出可能な制御領域を含めるように、システム帯域幅内の予め定められた周波数範囲において、アンカ・キャリアが設定されうる。参照番号１２０４では、拡張モードで動作している各ＵＥに対して検出可能であるが、レガシー・モードで動作している各ＵＥに対して透過的である各制御領域を含めるように、システム帯域幅内のそれぞれの非オーバラップ周波数範囲において、少なくとも１つの追加キャリアが設定されうる。
【００７２】
図１３は、無線通信システムにおいて、複数のキャリアのためにリソースを割り当てることを容易にするモバイル・デバイス１３００の例示である。モバイル・デバイス１３００は、例えば（図示しない）受信アンテナから信号を受信し、受信した信号について一般的な動作（例えば、フィルタ、増幅、ダウンコンバート等）を実行し、これら調整された信号をデジタル化してサンプルを得る受信機１３０２を備えうる。受信機１３０２は、受信したシンボルを復調し、それらをチャネル推定のためにプロセッサ１３０６へ提供する復調器１３０４を備えうる。プロセッサ１３０６は、受信機１３０２によって受信された情報の分析、および／または、送信機１３１６による送信のための情報の生成に特化されたプロセッサ、モバイル・デバイス１３００の１または複数の構成要素を制御するプロセッサ、および／または、受信機１３０２によって受信された情報を分析し、送信機１３１６による送信のための情報を生成し、モバイル・デバイス１３００の１または複数の構成要素を制御するプロセッサでありうる。
【００７３】
モバイル・デバイス１３００さらに、プロセッサ１３０６に動作可能に接続されたメモリ１３０８を備えうる。このメモリ１３０８は、送信されるデータ、受信したデータ、利用可能なチャネルに関連する情報、分析された信号および／または干渉強度に関連付けられたデータ、割り当てられたチャネルや電力やレート等に関連する情報、および、チャネルの推定およびチャネルを介した通信のために適切なその他任意の情報を格納しうる。メモリ１３０８はさらに、（例えば、パフォーマンス・ベース、キャパシティ・ベース等での）チャネルの推定および／または利用に関連付けられたアルゴリズムおよび／またはプロトコルを格納しうる。
【００７４】
本明細書に記載されたデータ・ストア（例えば、メモリ１３０８）は、揮発性メモリであるか、あるいは不揮発性メモリである。あるいは、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ（登録商標））のような多くの形態で利用可能である。主題となるシステムおよび方法のメモリ１３０８は、限定される訳ではないが、これらおよびその他任意の適切なタイプのメモリを備えることが意図される。
【００７５】
プロセッサ１３０６は、許可処理モジュール１３１０および／またはリソース設定モジュール１３１２に動作可能に接続されうる。許可処理モジュール１３１０は、複数のキャリアのためのリソース割当を含む許可メッセージを、アンカ・キャリアから受信しうる。リソース設定モジュール１３１２は、受信した許可メッセージに少なくとも部分的に基づいて、複数のキャリアのためのリソースの環境および設定を管理しうる。
【００７６】
モバイル・デバイス１３００はさらに、信号を変調する変調器１３１４と、この信号を例えば基地局、別のモバイル・デバイス等へ送信する送信機１３１６とを備える。プロセッサ６０６と別に示されているが、許可処理モジュール１３１０、リソース設定モジュール１３１２、復調器１３０４、および／または、変調器１３１４は、プロセッサ１３０６あるいは複数のプロセッサ（図示せず）の一部でありうることが認識されるべきである。
【００７７】
図１４は、前述したように、無線通信環境において、複数のキャリアのためのリソース割当を容易にするシステム１４００の例示である。このシステム１４００は、複数の受信アンテナ１４０６を介して１または複数のモバイル・デバイス１４０４から信号を受信する受信機１４１０と、送信アンテナ１４０８を介して１または複数のモバイル・デバイス１４０４へ送信する送信機１４２４と、を有する基地局１４０２（例えば、アクセス・ポイント）を備える。受信機１４１０は、受信アンテナ１４０６から情報を受信する。さらに、受信した情報を復調する復調器１４１２と動作可能に関連付けられている。復調されたシンボルは、図１３に関して上述したプロセッサに類似しうるプロセッサ１４１４によって分析される。プロセッサ１４１４は、信号（例えば、パイロット）強度および／または干渉強度を推定することに関連する情報、モバイル・デバイス（単数または複数）１４０４（または、（図示しない）他の基地局）との間で送受信されるデータ、および／または、本明細書に記載されたさまざまな動作および機能を実行することに関連するその他任意の適切な情報、を格納するメモリ１４１６に接続されている。
【００７８】
プロセッサ１４１４はさらに、複数のキャリアのためのリソース割当を含む許可メッセージをアンカ・キャリアから受信する許可処理モジュール１４１８に接続されている。さらに、プロセッサ１４１４は、受信した許可メッセージに少なくとも部分的に基づいて、複数のキャリアのためのリソースの環境および設定を管理しうるリソース設定モジュール１４２０に接続されうる。さらに、プロセッサ１４１４と別に示されているが、許可処理モジュール１４１８、リソース設定モジュール１４２０、復調器１４１２、および／または、変調器１４２２は、プロセッサ１４１４あるいは複数のプロセッサ（図示せず）の一部でありうることが認識されるべきである。
【００７９】
図１５は、無線通信システム１５００の例を示す。無線通信システム１５００は、簡潔さの目的で、１つの基地局１５１０と１つのモバイル・デバイス１５５０としか示していない。しかしながら、システム１５００は、１より多い基地局、および／または、１より多いモバイル・デバイスを含むことができ、これら追加の基地局および／またはモバイル・デバイスは、以下に説明する基地局１５１０およびモバイル・デバイス１５５０の例と実質的に同じでも、別のものでもありうることが認識されるべきである。さらに、基地局１５１０および／またはモバイル・デバイス１５５０は、その間の無線通信を容易にするために、本明細書に記載されたシステム（図１乃至９、１３−１４、１６−１８）および／または方法（図１０−１２）を適用しうることが認識されるべきである。
【００８０】
基地局１５１０では、多くのデータ・ストリームのためのトラフィック・データが、データ・ソース１５１２から送信（ＴＸ）データ・プロセッサ１５１４へ提供される。一例によれば、おのおののデータ・ストリームが、それぞれのアンテナを介して送信される。ＴＸデータ・プロセッサ１５１４は、トラフィック・データ・ストリームをフォーマットし、このデータ・ストリームのために選択された特定の符合化スキームに基づいて符号化し、インタリーブして、符合化されたデータを提供する。
【００８１】
おのおののデータ・ストリームの符合化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは一般に、既知の方法で処理される既知のデータ・パターンであり、チャネル応答を推定するためにモバイル・デバイス１５５０において使用されうる。おのおののデータ・ストリームについて多重化されたパイロットおよび符号化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、符号化、および変調は、プロセッサ１５３０によって実行または提供される指示によって決定されうる。
【００８２】
データ・ストリームの変調シンボルは、（例えば、ＯＦＤＭのために）変調シンボルを処理するＴＸ  ＭＩＭＯプロセッサ１５２０に提供される。ＴＸ  ＭＩＭＯプロセッサ１５２０はその後、ＮＴ個の変調シンボル・ストリームをＮＴ個の送信機（ＴＭＴＲ）１５２２ａ乃至１５２２ｔへ提供する。さまざまな実施形態において、ＴＸ  ＭＩＭＯプロセッサ１５２０は、データ・ストリームのシンボル、および、そのシンボルが送信されるアンテナへ、ビームフォーミング重みを適用する。
【００８３】
おのおのの送信機１５２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機１５２２ａ乃至１５２２ｔからのＮＴ個の変調信号が、ＮＴ個のアンテナ１５２４ａ乃至１５２４ｔからそれぞれ送信される。
【００８４】
モバイル・デバイス１５５０では、送信された変調された信号が、ＮＲ個のアンテナ１５５２ａ乃至１５５２ｒによって受信され、おのおののアンテナ１５５２からの受信された信号が、それぞれの受信機（ＲＣＶＲ）１５５４ａ乃至１５５４ｒへ提供される。おのおのの受信機１５５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００８５】
ＲＸデータ・プロセッサ１５６０は、ＮＲ個の受信機１５５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ１５６０は、検出されたおのおののシンボル・ストリームを復調し、デインタリーブし、復号して、そのデータ・ストリームのためのトラフィック・データを復元する。ＲＸデータ・プロセッサ１５６０による処理は、基地局１５１０におけるＴＸ  ＭＩＭＯプロセッサ１５２０およびＴＸデータ・プロセッサ１５１４によって実行されるものと相補的である。
【００８６】
プロセッサ１５７０は、上述したように、どの事前符合化行列を使用するのかを定期的に決定する。さらに、プロセッサ１５７０は、行列インデクス部およびランク値部を備えた逆方向リンク・メッセージを規定することができる。
【００８７】
逆方向リンク・メッセージは、通信リンクおよび／または受信されたデータ・ストリームに関するさまざまなタイプの情報を備えうる。逆方向リンク・メッセージは、多くのデータ・ストリームのトラフィック・データをデータ・ソース１５３６から受信するＴＸデータ・プロセッサ１５３８によって処理され、変調器１５８０によって変調され、送信機１５５４ａ乃至１５５４ｒによって調整され、基地局１５１０へ送り戻される。
【００８８】
基地局１５１０では、モバイル・デバイス１５５０からの変調信号が、アンテナ１５２４によって受信され、受信機１５２２によって調整され、復調器１５４０によって復調され、ＲＸデータ・プロセッサ１５４２によって処理されることにより、モバイル・デバイス１５５０によって送信された逆方向リンク・メッセージが抽出される。さらに、プロセッサ１５３０は、ビームフォーミング重みを決定するためにどの事前符合化行列を使用するかを決定するために、この抽出されたメッセージを処理する。
【００８９】
プロセッサ１５３０およびプロセッサ１５７０は、基地局１５１０およびモバイル・デバイス１５５０それぞれにおける動作を指示（例えば、制御、調整、管理等）する。プロセッサ１５３０およびプロセッサ１５７０はそれぞれ、プログラム・コードおよびデータを格納するメモリ１５３２およびメモリ１５７２に関連付けられうる。プロセッサ１５３０およびプロセッサ１５７０はまた、アップリンクおよびダウンリンクそれぞれのための周波数およびインパルス応答推定値を導出する計算をも実行する。
【００９０】
本明細書に記載された実施形態は、ハードウェア、ソフトウェア、ファームウェア、ミドルウェア、マイクロコード、あるいはこれらの任意の組み合わせで実現されうることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロ・コントローラ、マイクロ・プロセッサ、本明細書に記載の機能を実行するために設計されたその他の電子ユニット、あるいはこれらの組み合わせ内に実装されうる。
【００９１】
これら実施形態が、ソフトウェア、ファームウェア、ミドルウェアあるいはマイクロコード、プログラム・コードあるいはコード・セグメントで実現される場合、これらは、例えば記憶素子のような機械読取可能媒体に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡および／または受信を行うことによって、他のコード・セグメントまたはハードウェア回路に接続されうる。情報、引数、パラメータ、データなどは、メモリ共有、メッセージ引渡し、トークン引渡、ネットワーク送信などを含む任意の適切な手段を用いて引渡、転送、あるいは送信されうる。
【００９２】
ソフトウェアで実現する場合、本明細書に記載のこれら技術は、本明細書に記載の機能を実行するモジュール（例えば、手続き、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【００９３】
図１６を参照して、マルチキャリア環境内でリソースを割り当てるシステム１６００が例示される。例えば、システム１６００は、基地局、モバイル・デバイス等の中に少なくとも部分的に存在しうる。システム１６００は、プロセッサ、ソフトウェア、またはそれらの組み合わせ（例えば、ファームウェア）によって実現される機能を表す機能ブロックでありうる機能ブロックを含むものとして示されることが認識されるべきである。システム１６００は、連携して動作しうる電子構成要素の論理グループ１６０２を含む。論理グループ１６０２は、周波数における複数のキャリアと、複数のキャリアのうちの少なくとも１つのアンカ・キャリアとを識別するための電子構成要素１６０４を含みうる。さらに、論理グループ１６０２は、それぞれのアンカ・キャリアと、それぞれのアンカ・キャリアに対応するキャリアのセットとの間の各関係を識別するための電子構成要素１６０６を備えうる。さらに、論理グループ１６０２は、１または複数のアンカ・キャリアで、少なくとも１つの許可メッセージを受信するための電子構成要素１６０８を含みうる。論理グループ１６０２はさらに、少なくとも１つの許可メッセージが受信された１または複数のアンカ・キャリアに対応するキャリアの各セットにおいて割り当てられたリソースのセットを、少なくとも１つの許可メッセージに少なくとも部分的に基づいて決定するための電子構成要素１６１０を含みうる。さらに、システム１６００は、電子構成要素１６０４、１６０６、１６０８、１６１０に関連付けられた機能を実行するための命令群を保持するメモリ１６１２を含みうる。メモリ１６１２の外側にあると示されているが、電子構成要素１６０４、１６０６、１６０８、１６１０のうちの１または複数は、メモリ１６１２内に存在しうることが理解されるべきである。
【００９４】
図１７に移って、無線通信環境において、オペレーティング・モードに基づいて制御送信を識別するシステム１７００が例示される。システム１７００は、例えば、基地局、モバイル・デバイス等に存在しうる。図示するように、システム１７００は、プロセッサ、ソフトウェア、または（例えば、ファームウェアのような）これらの組み合わせによって実現される機能を表しうる。論理グループ１７０２は、適用されているオペレーティング・モードを識別するための電子構成要素１７０４を含みうる。ここで、適用されているオペレーティング・モードは、レガシー・モードおよび拡張モードからなるグループから選択される。さらに、論理グループ１７０２は、レガシー・モードが識別されると、関連付けられたシステム帯域幅内で、アンカ・キャリアの少なくとも１つの制御領域に関連付けられたリソースにおいて、制御送信をモニタするための電子構成要素１７０６を含みうる。さらに、論理グループ１７０２は、拡張モードが識別されると、関連付けられたシステム帯域幅内で、１または複数の追加キャリアの少なくとも１つの制御領域、および、アンカ・キャリアの少なくとも１つの制御領域に関連付けられたリソースにおいて、制御送信をモニタするための電子構成要素１７０８を備えうる。さらに、システム１７００は、電子構成要素１７０４、１７０６、１７０８に関連付けられた機能を実行するための命令群を保持するメモリ１７１０を含みうる。メモリ１７１０の外側にあると示されているが、電子構成要素１７０４、１７０６、１７０８は、メモリ１７１０内に存在しうることが理解されるべきである。
【００９５】
図１８に移って、無線通信環境において、複数のキャリアのための制御情報を、ユーザ機器（ＵＥ）へ通信するシステム１８００が例示される。システム１８００は、例えば、基地局、モバイル・デバイス等に存在しうる。図示するように、システム１８００は、プロセッサ、ソフトウェア、または（例えば、ファームウェアのような）これらの組み合わせによって実現される機能を表しうる。論理グループ１８０２は、レガシー・モードで動作している各ユーザ機器ユニット（ＵＥ）と、拡張モードで動作している各ＵＥとに対して検出可能な制御領域を含めるように、システム帯域幅内の予め定められた周波数範囲において、アンカ・キャリアを設定するための電子構成要素１８０４を含みうる。さらに、論理グループ１８０２は、拡張モードで動作している各ＵＥに対して検出可能であるが、レガシー・モードで動作している各ＵＥに対して透過的である各制御領域を含めるように、システム帯域幅内のそれぞれの非オーバラップ周波数範囲において、少なくとも１つの追加キャリアを設定するための電子構成要素１８０６を含みうる。さらに、システム１８００は、電子構成要素１８０４、１８０６に関連付けられた機能を実行するための命令群を保持するメモリ１８０８を含みうる。メモリ１８０８の外側にあると示されているが、電子構成要素１８０４、１８０６は、メモリ１８０８内に存在しうることが理解されるべきである。
【００９６】
上述したものは、１または複数の実施形態の一例を含んでいる。もちろん、上述した実施形態を説明する目的で、構成要素または方法の考えられるすべての組み合わせを記述することは可能ではないが、当業者であれば、さまざまな実施形態のさらに多くの組み合わせおよび置き換えが可能であることを認識することができる。したがって、記載された実施形態は、特許請求の範囲の精神およびスコープ内にあるそのようなすべての変更、変更、および変形を含むことが意図される。さらにまた、用語「含む」が、詳細説明あるいは特許請求の範囲のうちの何れかで使用されている限り、その用語は、用語「備える」が、請求項における遷移語として適用される場合に解釈される用語「備える」と同様に、包括的であることが意図される。
以下に、本願出願当初の特許請求の範囲に記載された発明を付記する。
［Ｃ１］
無線通信システムにおいて使用され、マルチキャリア環境内でリソースを割り当てることを容易にする方法であって、
周波数における複数のキャリアと、前記複数のキャリアのうちの少なくとも１つのアンカ・キャリアとを識別することと、
それぞれのアンカ・キャリアと、前記それぞれのアンカ・キャリアに対応するキャリアのセットとの間の各関係を識別することと、
１または複数のアンカ・キャリアで、少なくとも１つの許可メッセージを受信することと、
前記少なくとも１つの許可メッセージが受信された１または複数のアンカ・キャリアに対応するキャリアの各セットに割り当てられたリソースのセットを、前記少なくとも１つの許可メッセージに少なくとも部分的に基づいて決定することと
を備える方法。
［Ｃ２］
前記受信することは、１または複数の許可メッセージが受信されたアンカ・キャリアに対応する個々の各キャリアに割り当てられたリソースに関連する情報を提供するために、独立して符号化された前記１または複数の許可メッセージを受信することを備えるＣ１に記載の方法。
［Ｃ３］
前記受信することは、前記許可メッセージが受信されたアンカ・キャリアに対応する各キャリアに割り当てられたリソースに関連する情報を提供するために、共通して符号化された許可メッセージを受信することを備えるＣ１に記載の方法。
［Ｃ４］
前記決定することは、
複数のキャリアに対応する結合された割当情報を備え、前記共通して符号化された許可メッセージによって提供された、アグリゲートされたリソース割当を識別することと、
前記結合された割当情報に少なくとも部分的に基づいて、前記割り当てられたリソースのセットを決定することと
を備えるＣ３に記載の方法。
［Ｃ５］
前記共通して符号化された許可メッセージは、各キャリアにわたって共通な一般情報のセットと、各キャリアに特有のキャリア毎情報の１または複数のセットとを備え、前記一般情報および前記キャリア毎情報は個別に符号化され、前記キャリア毎情報は、前記各キャリアのための割当情報を含み、キャリアにわたって共通して符号化されているか、または、各キャリアのために個別に符号化されているかのうちの少なくとも１つであるＣ３に記載の方法。
［Ｃ６］
前記一般情報のセットは、ハイブリッド自動反復要求（ＨＡＲＱ）処理識別子、送信電力制御（ＴＰＣ）情報、スケジュールされたキャリア識別情報、または巡回冗長検査（ＣＲＣ）情報のうちの１または複数を備えるＣ５に記載の方法。
［Ｃ７］
前記キャリア毎情報の１または複数のセットは、リソース割当情報、変調および符号化スキーム（ＭＣＳ）データ、送信電力制御（ＴＰＣ）情報、または、新たなデータ・インジケータ（ＮＤＩ）のうちの１または複数を備えるＣ５に記載の方法。
［Ｃ８］
各キャリアが、複数の空間コードワードに関連付けられ、前記キャリア毎情報の１または複数のセットが、前記各キャリアに関連付けられた各空間コードワードのＮＤＩまたはＭＣＳデータのうちの１または複数を備えるＣ７に記載の方法。
［Ｃ９］
キャリア毎情報の各セットは、関連付けられたシステム帯域幅における実質的にすべてのキャリアに関連付けられているＣ５に記載の方法。
［Ｃ１０］
前記一般情報のセットは、スケジュールされた各キャリアに関連する情報を備えるＣ５に記載の方法。
［Ｃ１１］
キャリア毎情報の各セットは、スケジュールされた各キャリアに関連付けられているＣ１０に記載の方法。
［Ｃ１２］
関連付けられたシステム帯域幅内で、キャリアのサブセットに関連する設定データを受信することをさらに備え、
キャリア毎情報の各セットは、前記キャリアのサブセット内の各キャリアに関連付けられているＣ５に記載の方法。
［Ｃ１３］
前記少なくとも１つの許可メッセージは、アップリンク許可情報を備えるＣ１に記載の方法。
［Ｃ１４］
前記少なくとも１つの許可メッセージは、ダウンリンク許可情報を備えるＣ１に記載の方法。
［Ｃ１５］
無線通信装置であって、
周波数における複数のキャリアと、前記複数のキャリアのうちの少なくとも１つのアンカ・キャリアとを識別し、
それぞれのアンカ・キャリアと、前記それぞれのアンカ・キャリアに対応するキャリアのセットとの間の各関係を識別し、
１または複数のアンカ・キャリアで、少なくとも１つの許可メッセージを受信し、
前記少なくとも１つの許可メッセージが受信された１または複数のアンカ・キャリアに対応するキャリアの各セットに割り当てられたリソースのセットを、前記少なくとも１つの許可メッセージに少なくとも部分的に基づいて決定する
ように構成された少なくとも１つのプロセッサと、
前記少なくとも１つのプロセッサに接続されたメモリと
を備える無線通信装置。
［Ｃ１６］
前記少なくとも１つの許可メッセージは、アップリンク許可情報を備えるＣ１５に記載の無線通信装置。
［Ｃ１７］
前記少なくとも１つの許可メッセージは、ダウンリンク許可情報を備えるＣ１５に記載の無線通信装置。
［Ｃ１８］
マルチキャリア環境内でリソースを割り当てる無線通信装置であって、
周波数における複数のキャリアと、前記複数のキャリアのうちの少なくとも１つのアンカ・キャリアとを識別する手段と、
それぞれのアンカ・キャリアと、前記それぞれのアンカ・キャリアに対応するキャリアのセットとの間の各関係を識別する手段と、
１または複数のアンカ・キャリアで、少なくとも１つの許可メッセージを受信する手段と、
前記少なくとも１つの許可メッセージが受信された１または複数のアンカ・キャリアに対応するキャリアの各セットにおいて割り当てられたリソースのセットを、前記少なくとも１つの許可メッセージに少なくとも部分的に基づいて決定する手段と
を備える無線通信装置。
［Ｃ１９］
前記受信は、１または複数の許可メッセージが受信されたアンカ・キャリアに対応する個々の各キャリアに割り当てられたリソースに関連する情報を提供するために、独立して符号化された前記１または複数の許可メッセージの受信を備えるＣ１８に記載の無線通信装置。
［Ｃ２０］
前記受信は、前記許可メッセージが受信されたアンカ・キャリアに対応する各キャリアに割り当てられたリソースに関連する情報を提供するために、共通して符号化された許可メッセージの受信を備えるＣ１８に記載の無線通信装置。
［Ｃ２１］
前記決定は、
複数のキャリアに対応する結合された割当情報を備え、前記共通して符号化された許可メッセージによって提供された、アグリゲートされたリソース割当の識別と、
前記結合された割当情報に少なくとも部分的に基づく、前記割り当てられたリソースのセットの決定と
を備えるＣ２０に記載の無線通信装置。
［Ｃ２２］
前記共通して符号化された許可メッセージは、各キャリアにわたって共通な一般情報のセットと、各キャリアに特有のキャリア毎情報の１または複数のセットとを備え、前記一般情報および前記キャリア毎情報は個別に符号化され、前記キャリア毎情報は、前記各キャリアのための割当情報を含み、キャリアにわたって共通して符号化されているか、または、各キャリアのために個別に符号化されているかのうちの少なくとも１つであるＣ２０に記載の無線通信装置。
［Ｃ２３］
前記一般情報のセットは、ハイブリッド自動反復要求（ＨＡＲＱ）処理識別子、送信電力制御（ＴＰＣ）情報、スケジュールされたキャリア識別情報、または巡回冗長検査（ＣＲＣ）情報のうちの１または複数を備えるＣ２２に記載の無線通信装置。
［Ｃ２４］
前記キャリア毎情報の１または複数のセットは、リソース割当情報、変調および符号化スキーム（ＭＣＳ）データ、送信電力制御（ＴＰＣ）情報、または、新たなデータ・インジケータ（ＮＤＩ）のうちの１または複数を備えるＣ２２に記載の無線通信装置。
［Ｃ２５］
各キャリアが、複数の空間コードワードに関連付けられ、前記キャリア毎情報の１または複数のセットが、前記各キャリアに関連付けられた各空間コードワードのＮＤＩまたはＭＣＳデータのうちの１または複数を備えるＣ２４に記載の無線通信装置。
［Ｃ２６］
キャリア毎情報の各セットは、関連付けられたシステム帯域幅における実質的にすべてのキャリアに関連付けられているＣ２２に記載の無線通信装置。
［Ｃ２７］
前記一般情報のセットは、スケジュールされた各キャリアに関連する情報を備えるＣ２２に記載の無線通信装置。
［Ｃ２８］
キャリア毎情報の各セットは、スケジュールされた各キャリアに関連付けられているＣ２７に記載の無線通信装置。
［Ｃ２９］
関連付けられたシステム帯域幅内で、キャリアのサブセットに関連する設定データを受信することをさらに備え、キャリア毎情報の各セットは、前記キャリアのサブセット内の各キャリアに関連付けられているＣ２２に記載の無線通信装置。
［Ｃ３０］
前記少なくとも１つの許可メッセージは、アップリンク許可情報を備えるＣ１８に記載の無線通信装置。
［Ｃ３１］
前記少なくとも１つの許可メッセージは、ダウンリンク許可情報を備えるＣ１８に記載の無線通信装置。
［Ｃ３２］
コンピュータ読取可能媒体を備えるコンピュータ・プログラム製品であって、
前記コンピュータ読取可能媒体は、
少なくとも１つのコンピュータに対して、前記周波数における複数のキャリアと、複数のキャリアのうちの少なくとも１つのアンカ・キャリアとを識別させるためのコードと、
少なくとも１つのコンピュータに対して、それぞれのアンカ・キャリアと、前記それぞれのアンカ・キャリアに対応するキャリアのセットとの間の各関係を識別させるためのコードと、
少なくとも１つのコンピュータに対して、１または複数のアンカ・キャリアで、少なくとも１つの許可メッセージを受信させるためのコードと、
少なくとも１つのコンピュータに対して、前記少なくとも１つの許可メッセージが受信された１または複数のアンカ・キャリアに対応するキャリアの各セットにおいて割り当てられたリソースのセットを、前記少なくとも１つの許可メッセージに少なくとも部分的に基づいて決定させるためのコードと
を備えるコンピュータ・プログラム製品。
［Ｃ３３］
無線通信システムにおいて使用され、オペレーティング・モードに基づいて、制御送信を識別することを容易にする方法であって、
レガシー・モードおよび拡張モードからなるグループから選択される、適用されているオペレーティング・モードを識別することと、
前記レガシー・モードを識別すると、関連付けられたシステム帯域幅内で、アンカ・キャリアの少なくとも１つの制御領域に関連付けられたリソースにおいて、制御送信を求めてモニタすることと、
前記拡張モードを識別すると、前記関連付けられたシステム帯域幅内で、１または複数の追加キャリアの少なくとも１つの制御領域、および、前記アンカ・キャリアの少なくとも１つの制御領域に関連付けられたリソースにおいて、制御送信を求めてモニタすることと
を備える方法。
［Ｃ３４］
前記アンカ・キャリアの制御領域は、前記アンカ・キャリアの１または複数のエッジに位置する周波数リソースを備えるＣ３３に記載の方法。
［Ｃ３５］
前記１または複数の追加キャリアの制御領域は、前記関連付けられたシステム帯域幅の１または複数のエッジに位置する周波数リソースを備えるＣ３３に記載の方法。
［Ｃ３６］
前記拡張モードが識別されると、前記１または複数の追加キャリアの制御領域の周波数における各ロケーションに関連する情報を受信することを備えるＣ３３に記載の方法。
［Ｃ３７］
前記情報を受信することは、前記１または複数の追加キャリアの制御情報の周波数における各ロケーションに関連する情報を備える１または複数のシステム情報ブロック（ＳＩＢ）を受信することを備えるＣ３６に記載の方法。
［Ｃ３８］
前記情報を受信することは、前記１または複数の追加キャリアの制御領域の周波数における各ロケーションに関連する個別シグナリングを受信することを備えるＣ３６に記載の方法。
［Ｃ３９］
前記１または複数の追加キャリアの制御領域は、周波数ホッピング・パターンを適用するＣ３３に記載の方法。
［Ｃ４０］
無線通信装置であって、
レガシー・モードおよび拡張モードからなるグループから選択される、適用されているオペレーティング・モードを識別し、
前記レガシー・モードを識別すると、関連付けられたシステム帯域幅内で、アンカ・キャリアの少なくとも１つの制御領域に関連付けられたリソースにおいて、制御送信を求めてモニタし、
前記拡張モードを識別すると、前記関連付けられたシステム帯域幅内で、１または複数の追加キャリアの少なくとも１つの制御領域、および、前記アンカ・キャリアの少なくとも１つの制御領域に関連付けられたリソースにおいて、制御送信を求めてモニタする
ように構成された少なくとも１つのプロセッサと、
前記少なくとも１つのプロセッサに接続されたメモリと
を備える無線通信装置。
［Ｃ４１］
前記拡張モードが識別されると、前記１または複数の追加キャリアの制御領域の周波数における各ロケーションに関連する情報を受信するように構成された少なくとも１つのプロセッサをさらに備えるＣ４０に記載の無線通信装置。
［Ｃ４２］
オペレーティング・モードに基づいて制御送信を識別する無線通信装置であって、
レガシー・モードおよび拡張モードからなるグループから選択される、適用されているオペレーティング・モードを識別する手段と、
前記レガシー・モードを識別すると、関連付けられたシステム帯域幅内で、アンカ・キャリアの少なくとも１つの制御領域に関連付けられたリソースにおいて、制御送信を求めてモニタする手段と、
前記拡張モードが識別されると、前記関連付けられたシステム帯域幅内で、１または複数の追加キャリアの少なくとも１つの制御領域、および、前記アンカ・キャリアの少なくとも１つの制御領域に関連付けられたリソースにおいて、制御送信を求めてモニタする手段と
を備える無線通信装置。
［Ｃ４３］
前記拡張モードが識別されると、前記１または複数の追加キャリアの制御領域の周波数における各ロケーションに関連する情報を受信する手段をさらに備えるＣ４２に記載の無線通信装置。
［Ｃ４４］
前記１または複数の追加キャリアの制御領域は、周波数ホッピング・パターンを適用するＣ４２に記載の無線通信装置。
［Ｃ４５］
コンピュータ読取可能媒体を備えるコンピュータ・プログラム製品であって、
前記コンピュータ読取可能媒体は、
少なくとも１つのコンピュータに対して、レガシー・モードおよび拡張モードからなるグループから選択される、適用されているオペレーティング・モードを識別させるためのコードと、
前記レガシー・モードが識別されると、少なくとも１つのコンピュータに対して、関連付けられたシステム帯域幅内で、アンカ・キャリアの少なくとも１つの制御領域に関連付けられたリソースにおいて、制御送信を求めてモニタさせるためのコードと、
前記拡張モードが識別されると、少なくとも１つのコンピュータに対して、前記関連付けられたシステム帯域幅内で、１または複数の追加キャリアの少なくとも１つの制御領域、および、前記アンカ・キャリアの少なくとも１つの制御領域に関連付けられたリソースにおいて、制御送信を求めてモニタさせるためのコードと
を備えるコンピュータ・プログラム製品。
［Ｃ４６］
無線通信システムにおいて使用され、複数のキャリアのための制御情報を、ユーザ機器（ＵＥ）に通信することを容易にする方法であって、
レガシー・モードで動作している各ユーザ機器ユニット（ＵＥ）と、拡張モードで動作している各ＵＥとに対して検出可能な制御領域を含めるように、システム帯域幅内の予め定められた周波数範囲において、アンカ・キャリアを設定することと、
前記拡張モードで動作している各ＵＥに対して検出可能であるが、前記レガシー・モードで動作している各ＵＥに対して透過的である各制御領域を含めるように、前記システム帯域幅内のそれぞれの非オーバラップ周波数範囲において、少なくとも１つの追加キャリアを設定することと
を備える方法。
［Ｃ４７］
前記アンカ・キャリアを設定することは、前記アンカ・キャリアの１または複数のエッジに関連付けられた１または複数の周波数範囲を占有するように、前記アンカ・キャリアの制御領域を設定することを備えるＣ４６に記載の方法。
［Ｃ４８］
前記少なくとも１つの追加キャリアを設定することは、前記システム帯域幅の１または複数のエッジに関連付けられた１または複数の周波数範囲を占有するように、前記少なくとも１つの追加キャリアの各制御領域を設定することを備えるＣ４６に記載の方法。
［Ｃ４９］
前記少なくとも１つの追加キャリア内の各制御領域によって占有されている周波数範囲に関連する情報を、前記拡張モードで動作している１または複数のＵＥへ送信することをさらに備えるＣ４８に記載の方法。
［Ｃ５０］
前記送信することは、１または複数のシステム情報ブロック（ＳＩＢ）内で前記情報を送信することを備えるＣ４９に記載の方法。
［Ｃ５１］
前記送信することは、前記情報を個別シグナリングによって、前記拡張モードで動作している各ＵＥへ送信することを備えるＣ４９に記載の方法。
［Ｃ５２］
前記少なくとも１つの追加キャリアを設定することは、周波数ホッピング・パターンを利用する、前記１または複数の追加キャリアの各制御領域を備えるＣ４６に記載の方法。
［Ｃ５３］
無線通信装置であって、
レガシー・モードで動作している各ユーザ機器ユニット（ＵＥ）と、拡張モードで動作している各ＵＥとに対して検出可能な制御領域を含めるように、システム帯域幅内の予め定められた周波数範囲において、アンカ・キャリアを設定し、
前記拡張モードで動作している各ＵＥに対して検出可能であるが、前記レガシー・モードで動作している各ＵＥに対して透過的である各制御領域を含めるように、前記システム帯域幅内のそれぞれの非オーバラップ周波数範囲において、少なくとも１つの追加キャリアを設定する
ように構成された少なくとも１つのプロセッサと、
前記少なくとも１つのプロセッサに接続されたメモリと
を備える無線通信装置。
［Ｃ５４］
前記アンカ・キャリアを設定することは、前記アンカ・キャリアの１または複数のエッジに関連付けられた１または複数の周波数範囲を占有するように、前記アンカ・キャリアの制御領域を設定することを備えるＣ５３に記載の無線通信装置。
［Ｃ５５］
制御情報を通信する無線通信装置であって、
レガシー・モードで動作している各ユーザ機器ユニット（ＵＥ）と、拡張モードで動作している各ＵＥとに対して検出可能な制御領域を含めるように、システム帯域幅内の予め定められた周波数範囲において、アンカ・キャリアを設定する手段と、
前記拡張モードで動作している各ＵＥに対して検出可能であるが、前記レガシー・モードで動作している各ＵＥに対して透過的である各制御領域を含めるように、前記システム帯域幅内のそれぞれの非オーバラップ周波数範囲において、少なくとも１つの追加キャリアを設定する手段と
を備える無線通信装置。
［Ｃ５６］
前記アンカ・キャリアを設定することは、前記アンカ・キャリアの１または複数のエッジに関連付けられた１または複数の周波数範囲を占有するように、前記アンカ・キャリアの制御領域を設定することを備えるＣ５５に記載の無線通信装置。
［Ｃ５７］
前記少なくとも１つの追加キャリアを設定することは、前記システム帯域幅の１または複数のエッジに関連付けられた１または複数の周波数範囲を占有するように、前記少なくとも１つの追加キャリアの各制御領域を設定することを備えるＣ５５に記載の無線通信装置。
［Ｃ５８］
コンピュータ読取可能媒体を備えるコンピュータ・プログラム製品であって、
前記コンピュータ読取可能媒体は、
少なくとも１つのコンピュータに対して、レガシー・モードで動作している各ユーザ機器ユニット（ＵＥ）と、拡張モードで動作している各ＵＥとに対して検出可能な制御領域を含めるように、システム帯域幅内の予め定められた周波数範囲において、アンカ・キャリアを設定させるためのコードと、
少なくとも１つのコンピュータに対して、前記拡張モードで動作している各ＵＥに対して検出可能であるが、前記レガシー・モードで動作している各ＵＥに対して透過的である各制御領域を含めるように、前記システム帯域幅内のそれぞれの非オーバラップ周波数範囲において、少なくとも１つの追加キャリアを設定させるためのコードと
を備えるコンピュータ・プログラム製品。
【図１】
0005714614.tif 000003
【図２】
0005714614.tif 000004
【図３】
0005714614.tif 000005
【図４】
0005714614.tif 000006
【図５】
0005714614.tif 000007
【図６】
0005714614.tif 000008
【図７】
0005714614.tif 000009
【図８】
0005714614.tif 000010
【図９】
0005714614.tif 000011
【図１０】
0005714614.tif 000012
【図１１】
0005714614.tif 000013
【図１２】
0005714614.tif 000014
【図１３】
0005714614.tif 000015
【図１４】
0005714614.tif 000016
【図１５】
0005714614.tif 000017
【図１６】
0005714614.tif 000018
【図１７】
0005714614.tif 000019
【図１８】
0005714614.tif 000020